(57)【要約】【課題】植えた植物の生育環境の向上を図ることができ、また、万一枯れた場合などにおいては植え替え作業を効率良く行うことができる立面緑化パネルユニットを提供する。【解決手段】左右方向に延在する載置面には透水孔１１ｂを有する棚板１１と、これらの棚板を所定の上下間隔を空けて支持する支持部材１２ａ，１２ｂと、壁面とは反対側となる棚板の前側に配置されたマット１３と、該マットと棚板の載置面１１ａと当該棚板の上段に配置された棚板とから区画されて形成された根収納室１４と、前記緑化領域の背面を塞ぐ裏板１９と、を備え、各根収納室の前方に位置するマットに貫通開口２１を設け、植物の根を根収容体２５の内部に収容し、この状態で根収容体をマット前方から前記貫通開口を通して根収納室内に入れて棚板の載置面上に載置して、当該植物の茎や葉をマット前方に露出した状態で植栽可能とした。【選択図】図３
2011097883.tif 000002
【特許請求の範囲】
【請求項１】
緑化する緑化領域に、高さを異ならせて複数段設けられ、左右方向に延在する載置面に透水孔を有する棚板と、
これらの棚板を所定の上下間隔を空けて支持する支持部材と、
上下方向に複数段配置された前記棚板の側縁に沿って上下方向に配置されたマットと、
該マットと棚板の載置面と当該棚板の上段に配置された棚板とから区画されて形成された根収納室と、
を備え、
各根収納室を区画しているマットに貫通開口を設け、
植物の根を根収容体の内部に収容し、この状態で根収容体をマットの表側から前記貫通開口を通して根収納室内に入れて棚板の載置面上に載置して、当該植物の茎や葉をマットの表側に露出した状態で植栽可能としたことを特徴とする立面緑化パネルユニット。
【請求項２】
前記緑化領域の背面を塞ぐ裏板を備え、
該裏板とマットと棚板の載置面と当該棚板の上段に配置された棚板とから区画して根収納室を形成したことを特徴とする請求項１に記載の立面緑化パネルユニット。
【請求項３】
前記根収容体が透水性の袋体により構成され、
この袋体の内部に保水材と共に根を収容したことを特徴とする請求項２に記載の立面緑化パネルユニット。
【請求項４】
上段の根収納室に給水可能な給水機構を備え、該給水機構により給水した水を上段に位置する棚板の透水孔からその下の段の根収納室に供給し、これを順次繰り返してすべての根収納室に給水可能としたことを特徴とする請求項３に記載の立面緑化パネルユニット。
【請求項５】
前記支持部材が、左右の縦材を有するフレームにより構成され、
前記フレームにより区画された緑化領域に、高さを異ならせて棚板を複数段設けたことを特徴とする請求項４に記載の立面緑化パネルユニット。
【請求項６】
緑化する緑化領域に、高さを異ならせて複数段設けられ、左右方向に延在する各載置面に透水孔を有する棚板と、
これらの棚板を所定の高さに支持する支持部材と、
上下方向に複数段配置された前記棚板の側縁に沿って上下方向に配置されたマットと、
該マットと棚板の載置面と当該棚板の上段に配置された棚板とから区画されて形成された根収納室と、
を備え、
各根収納室を区画しているマットに貫通開口を設けた立面緑化パネルユニットであって、
断面が矩形パルス形状となるように屈曲成形した波板材を起立した状態で用いて、前記矩形パルスの立ち上がり部分に相当する部分と立下り部分に相当する部分を前記棚板とし、上下に位置する棚板の間の接続部分を前記支持部材とし、
植物の根を根収容体の内部に収容し、この状態で根収容体をマットの表側から前記貫通開口を通して根収納室内に入れて載置面上に載置して、当該植物の茎や葉をマットの表側に露出した状態で植栽可能としたことを特徴とする立面緑化パネルユニット。
【発明の詳細な説明】
【技術分野】
【０００１】
本発明は、ガレージなどの建物の外壁、あるいは内壁などの立面を、植栽された植物によって緑化を図る立面緑化パネルユニットに関するものである。
【背景技術】
【０００２】
近年、地球環境の向上を図るためにビルの屋上の緑化が推進されてきており、これに引き続き建物の壁面にも植物を植栽して緑化を推進しようという運動が始まっている。この様な緑化運動の意図を実現するために、既存の建物の壁面を緑化するパネルユニットなどの構造物が開発されている。例えば、外面に開口部が設けられた縦型ケースの中に、上部水槽と下部水槽とを設けるとともに、前記開口部に対向するようにして植栽部材を両水槽の間に設け、植栽部材には植物を支持する植物支持部材と給水シート部材を含ませて構成し、この植栽部材に植物を植えた壁面緑化装置が提案されている（特許文献１）。
【先行技術文献】
【特許文献】
【０００３】
【特許文献１】実用新案登録第３１２９１７６号公報
【発明の概要】
【発明が解決しようとする課題】
【０００４】
しかしながら、前記した壁面緑化装置は、植えた植物の生育に必ずしも適した条件が整っているわけではなく、植物が枯れるトラブルが発生し易い。また、枯れた植物を植え替える際に作業が煩雑であった。枯れる原因としては、例えば、植物の根が伸びるスペースを十分に確保することができないために根の発育不良が発生したり、また、植物の茎が横方向に向いた状態で支持する場合に茎の角度が不安定になり易く、根が上に向いた状態となって吸水が不十分になることもあった。
【０００５】
ところで、壁面緑化のために植栽される植物は、その後のことを考慮すれば多年草であることがメンテナンス上においては望ましいが、必ずしもそうである必要もなく、趣向に合わせて１年草を用いることも可能である。この様な場合に、植え替え作業が必要となるが、前記した従来の壁面緑化装置においては、作業が煩雑となり実用的でなかった。
【０００６】
本発明は、上記した事情に鑑みなされたものであり、その目的は、植えた植物の生育環境の向上を図ることができ、また、万一枯れた場合などにおいては植え替え作業を効率良く行うことができる立面緑化パネルユニットを提供することにある。
【課題を解決するための手段】
【０００７】
本発明は前記した目的を達成するために提案されたものであり、請求項１に記載のものは、
緑化する緑化領域に、高さを異ならせて複数段設けられ、左右方向に延在する載置面には透水孔を有する棚板と、
これらの棚板を所定の上下間隔を空けて支持する支持部材と、
上下方向に複数段配置された前記棚板の側縁に沿って上下方向に配置されたマットと、
該マットと棚板の載置面と当該棚板の上段に配置された棚板とから区画されて形成された根収納室と、
を備え、
各根収納室を区画しているマットに貫通開口を設け、
植物の根を根収容体の内部に収容し、この状態で根収容体をマットの表側から前記貫通開口を通して根収納室内に入れて棚板の載置面上に載置して、当該植物の茎や葉をマットの表側に露出した状態で植栽可能としたことを特徴とする立面緑化パネルユニットである。
【０００８】
請求項２に記載のものは、前記緑化領域の背面を塞ぐ裏板を備え、
該裏板とマットと棚板の載置面と当該棚板の上段に配置された棚板とから区画して根収納室を形成したことを特徴とする請求項１に記載の立面緑化パネルユニットである。
【０００９】
請求項３に記載のものは、前記根収容体が透水性の袋体により構成され、
この袋体の内部に保水材と共に根を収容したことを特徴とする請求項２に記載の立面緑化パネルユニットである。
【００１０】
請求項４に記載のものは、上段の根収納室に給水可能な給水機構を備え、該給水機構により給水した水を上段に位置する棚板の透水孔からその下の段の根収納室に供給し、これを順次繰り返して複数段の根収納室に給水可能としたことを特徴とする請求項３に記載の立面緑化パネルユニットである。
【００１１】
請求項５に記載のものは、前記支持部材が、左右の縦材を有するフレームにより構成され、
前記フレームにより区画された緑化領域に、高さを異ならせて棚板を複数段設けたことを特徴とする請求項４に記載の立面緑化パネルユニットである。
【００１２】
請求項６に記載のものは、緑化する緑化領域に、高さを異ならせて複数段設けられ、左右方向に延在する各載置面には透水孔を有する棚板と、
これらの棚板を所定の高さに支持する支持部材と、
上下方向に複数段配置された前記棚板の側縁に沿って上下方向に配置されたマットと、
該マットと棚板の載置面と当該棚板の上段に配置された棚板とから区画されて形成された根収納室と、
を備え、
各根収納室を区画しているマットに貫通開口を設けた立面緑化パネルユニットであって、
断面が矩形パルス形状となるように屈曲成形した波板材を起立した状態で用いて、前記矩形パルスの立ち上がり部分に相当する部分と立下り部分に相当する部分を前記棚板とし、上下に位置する棚板の間の接続部分を前記支持部材とし、
植物の根を根収容体の内部に収容し、この状態で根収容体をマットの表側から前記貫通開口を通して根収納室内に入れて載置面上に載置して、当該植物の茎や葉をマットの表側に露出した状態で植栽可能としたことを特徴とする立面緑化パネルユニットである。
【発明の効果】
【００１３】
請求項１の本発明によれば、緑化する緑化領域に、高さを異ならせて複数段設けられ、左右方向に延在する載置面には透水孔を有する棚板と、これらの棚板を所定の上下間隔を空けて支持する支持部材と、上下方向に複数段配置された前記棚板の側縁に沿って上下方向に配置されたマットと、該マットと棚板の載置面と当該棚板の上段に配置された棚板とから区画されて形成された根収納室と、を備え、各根収納室を区画しているマットに貫通開口を設け、植物の根を根収容体の内部に収容し、この状態で根収容体をマット前方から前記貫通開口を通して根収納室内に入れて棚板の載置面上に載置して、当該植物の茎や葉をマット前方に露出した状態で植栽可能としたので、根の生育に過不足のないスペースを確保することができ、また、植え替え作業も容易に行うことができる。
【００１４】
請求項２に記載の発明によれば、前記緑化領域の背面を塞ぐ裏板を備え、該裏板とマットと棚板の載置面と当該棚板の上段に配置された棚板とから区画して根収納室を形成したので、給水の水が壁面を濡らすことを防止することができ、壁面を保護することができる。
【００１５】
請求項３に記載の発明によれば、前記根収容体が透水性の袋体により構成され、この袋体の内部に保水材と共に根を収容したので、根がばらばらにならずにある程度まとまった状態となり、このため、給水し易く、さらには保水材により根を湿った状態に長時間保つことができ、水不足解消に有効である。
【００１６】
請求項４に記載の発明によれば、上段の根収納室に給水可能な給水機構を備え、該給水機構により給水した水を上段に位置する棚板の透水孔からその下の段の根収納室に供給し、これを順次繰り返してすべての根収納室に給水可能としたので、給水作業が容易であり、上から下まで確実に順次給水することができる。
【００１７】
請求項５に記載の発明によれば、前記支持部材が、左右の縦材を有するフレームにより構成され、前記フレームにより区画された緑化領域に、高さを異ならせて棚板を複数段設けたので、壁面にはフレームを固定すればよいなど、取り扱い性が良好である。
【００１８】
請求項６に記載の発明によれば、緑化する緑化領域に、高さを異ならせて複数段設けられ、左右方向に延在する各載置面には透水孔を有する棚板と、これらの棚板を所定の高さに支持する支持部材と、上下方向に複数段配置された前記棚板の側縁に沿って上下方向に配置されたマットと、該マットと棚板の載置面と当該棚板の上段に配置された棚板とから区画されて形成された根収納室と、を備え、各根収納室を区画しているマットに貫通開口を設けた壁面緑化パネルユニットであって、断面が矩形パルス形状となるように屈曲成形した波板材を起立した状態で用いて、前記矩形パルスの立ち上がり部分に相当する部分と立下り部分に相当する部分を前記棚板とし、上下に位置する棚板の間の接続部分を前記支持部材とし、植物の根を根収容体の内部に収容し、この状態で根収容体をマットの表側から前記貫通開口を通して根収納室内に入れて載置面上に載置して、当該植物の茎や葉をマットの表側に露出した状態で植栽可能としたので、根の発育スペースを過不足なく十分に確保することができ、また、植え替え作業も容易に行うことができるだけでなく、構造の簡素化を図ることができる。
【図面の簡単な説明】
【００１９】
【図１】外壁に壁面緑化パネルユニットを取り付けたガレージの斜視図である。
【図２】（ａ）は壁面緑化パネルユニットの正面図、（ｂ）は壁面緑化パネルユニットの一部省略右側面図である。
【図３】棚板や根収納室を拡大して示す右側面図である。
【図４】棚板の一部を示す斜視図である。
【図５】（ａ）は循環式給水機構を備えた壁面緑化パネルユニットの正面図、（ｂ）は循環式給水機構を備えた壁面緑化パネルユニットの一部省略右側面図である。
【図６】（ａ）はパンチングボードを断面矩形パルス形に折り曲げて棚板と支持部材とを一体成型した実施形態の要部を示す拡大右側面図、（ｂ）は（ａ）に示す壁面緑化パネルユニットを複数並べて円柱の曲面に取り付けた状態の概略斜視図である。
【図７】（ａ）はパンチングボードを断面矩形パルス形に折り曲げて棚板と支持部材とを一体成型した棚板の両側にマットを設けた実施形態の要部を示す拡大側面図、（ｂ）は（ａ）に示す立面緑化パネルユニットの一部平面図である。
【発明を実施するための形態】
【００２０】
以下、本発明を実施するための形態を図面に基づいて説明する。
図１は、本発明に係る立面緑化パネルユニットを外壁に取り付けたガレージの概略斜視図、図２（ａ）は、立面緑化パネルユニットの正面図、図２（ｂ）は立面緑化パネルユニットの断面図、図３は拡大断面図である。
【００２１】
ガレージ１は、図１に示すように、正面入口に巻き上げシャッター扉２を備え、この正面入口の左右の壁面及び背後の壁には、本発明に係る立面緑化パネルユニット３を取り付けてあり、屋上４には、階段５を介して上った場合の安全のために手摺６が設けてある。なお、図１では、壁面に取り付けた立面緑化パネルユニット３の一部（３つ）を実線で示し、その他については点線で取り付け位置を示しただけで植栽した植物も記載を省略してある。
【００２２】
立面緑化パネルユニット３は、図２に示すように、緑化する縦方向の立面であるところの緑化領域に、高さを異ならせて複数段設けられた棚板１１と、これらの棚板１１を所定の上下間隔を空けて支持する支持部材１２と、上下方向に複数段配置された前記棚板１１の側縁（本実施形態では取り付け状態における壁面とは反対側である前側）に沿って上下方向に配置されたマット１３と、該マット１３と棚板１１の載置面１１ａと当該載置面１１ａの上方に配置された棚板１１とから区画された根収納室１４とから概略構成されている。
【００２３】
支持部材１２は、図２に示すように、角パイプからなる主柱１２ａの前面に断面コ字状に屈曲した副柱１２ｂを添設した一体化した左右の縦材１２Ａと、主柱１２ａの上端同士を接続する角パイプ製の上横材１２Ｂと、主柱１２ａの下端同士を接続する角パイプ材製の下横材１２Ｃとからなるフレーム１５により構成されている。そして、本実施形態では、左右の副柱１２ｂの間が緑化領域であり、したがって、両副柱１２ｂの間に棚板１１を高さを異ならせて複数段架設し、最下段の棚板１１の下方に棚板１１よりも少し大きな水槽１６を設ける。また、支持部材１２の主柱１２ａに沿って給水機構の一部を構成する給水管１７を縦方向に取り付け、該給水管１７の上端を、最上段の棚板１１の上方に当該棚板１１に沿って横方向に取り付けた散水管１８の一端に接続してある。したがって、給水管１７の下端を水道（図示せず）に接続すると、水道から供給された水が給水管１７を介して給水機構の一部である散水管１８に入り、散水管１８の下半に開口するノズル（図示せず）から最上段の棚板１１上に向けて散水でき、最上段に散水された水は、その段に植栽された植物（後述する）の根を潤し、余った水は当該棚板１１の載置面１１ａに開設された透水孔１１ｂを通ってその下の段の根収納室１４に落下し、これを繰り返しながら各段の根収納室１４内に収納された根に給水し、最終的に余った水は、最下段の棚板１１から水槽１６に流下して回収され、水槽１６から下水（図示せず）に排水される。
【００２４】
また、前記した緑化領域の背面は、本実施形態では裏板１９を支持部材１２に止着することにより閉塞する。これにより、前記した散水管１８から散水した水が風に吹かれて飛散しても、建物の壁面を濡らさないように保護することができる。
【００２５】
棚板１１は、図４に示すように、金属板材をベンダーによりいわゆるＺ曲げして、水平な面が左右方向に延在する載置面１１ａと、この載置面１１ａの前端を上方に直角曲げした前起立面１１ｃと、載置面１１ａの後端を下方に直角曲げした後垂下面１１ｄとを形成し、少なくとも載置面１１ａには小さな透水孔１１ｂを開設する。なお、この棚板１１は、金属板に透水孔１１ｂを打ち抜き加工するとともに、その後にＺ曲げ加工を行ってもよいが、予め小さな孔が一面に開設されたいわゆるパンチングボードを曲げ加工してもよい。そして、棚板１１をフレーム１５に取り付けるには、後垂下面１１ｄに開設した取り付け孔内にボルト２０を通して、副柱１２ｂや裏板１９と共に主柱１２ａの前面に固定する。
【００２６】
そして、各段の棚板１１を取り付けたならば、これら棚板１１の前側の側縁である前起立面１１ｃに沿って、壁面とは反対側となる前方からマット１３を当てて緑化領域を前方から被覆する。このマット１３は、根収納室１４の前面を区画する部材であり、この根収納室１４の高さに対応して、少なくとも前起立面１１ｃの高さ（２センチ）以上の適宜な位置に設定可能であり、一般的には根収納室１４の下面を区画する棚板１１の載置面１１ａから約２乃至６センチ上方の位置に、横長スリット状の貫通開口２１を所定のピッチ（例えば、２０センチ間隔）で根収納室１４の延在方向（左右方向）に沿って複数開設することが望ましい。なお、このマット１３は、貫通開口２１の縁が植物の茎等に接触するので比較的柔軟であって吸水性を備えていることが好ましく、例えば、植物繊維を積層したものでもよいし、あるいは不織布を積層したり合成繊維を積層したものでもよいし、フエルトでもよい。また、このマット１３は直射日光に晒されるので、耐候性に優れた素材であることが望ましい。
【００２７】
前記した構成からなる立面緑化パネルユニット３を壁面に取り付けるには、支持部材１２に開設した取付孔内にボルトを挿入し、このボルトの先端を壁面に予め取り付けたブラケットのネジ穴に螺合して固定する（図示せず）。
【００２８】
次に、植物の植栽について説明する。
立面緑化パネルユニット３に植物を植栽するには、図３に示すように、予め植物の根を不織布製の袋体である根収容体２５内に収容しておき、この収容状態でマット１３の表側から貫通開口２１を通して裏側の根収納室１４内に入れて棚板１１の載置面１１ａ上に載置する。この様にして各貫通開口２１から根を包んだ根収容体２５を差し込んで根収納室１４内に入れて載置面１１ａ上に載置すると、各植物の茎が貫通開口２１の縁に支えられて斜めに伸びる姿勢となり、マット１３の表側に植物の茎と葉と花が露出した状態になる。この状態においては、スリット状の貫通開口２１の開口縁が茎を軽く押さえ付けるので、植物の姿勢が安定し、多少の風に吹かれても安定した状態を維持することができ、太陽の光を浴びて生育する。そして、マット１３の裏側の根収納室１４においては、根が根収容体２５内にまとまった状態で収容され、一緒に入れた保水材も根に密着するので、根が水分を確実に吸収することができる。また、根収納室１４は、マット１３と棚板１１の載置面１１ａと当該棚板１１の上段に配置された棚板１１とから区画されて形成されているので、根が生育する上での過不足のない広さのスペースとして確保され、根が生育する上での拘束がない。また、マット１３の被覆により,風雨が根に直接当たることを防止し、直射日光も遮り、しかも適度な通気性が確保されているので、根の生育に適した湿度と温度を維持し易い。したがって、本発明に係る立面緑化パネルユニット３をガレージ１等の壁面に取り付けて草木などを植栽すると、これらの草木の根が健全に生育し、また、マット１３の表に露出した茎は貫通開口２１の縁に支えられて安定した姿勢を保ち、これに伴って葉や花なども安定し、太陽の光を十分に浴びることができる。したがって、草木が健全に成育し、無機質であったガレージ１等の壁面を色鮮やかに緑化することができ、自然環境の保護促進に寄与する。
【００２９】
また、これらの草木が万一枯れたりしたときには、マット１３の貫通開口２１に手を入れて枯れた植物の根収容体２５ごと取り出し、新たな植物を前記したようにマット１３の貫通開口２１が入れて植栽することができる。この様に、本発明に係る立面緑化パネルユニット３においては、枯れた植物を簡単に取り出すことができ、また、空いたスペース（根収納室１４）に新たな植物を簡単に植栽することができ、植え替え作業を効率良く行うことができる。
【００３０】
なお、給水機構は、前記した水道に接続して水槽１６に回収した余剰水を下水に排水するものに限定されるものではなく、例えば、図５に示すように、水槽１６に回収した水をポンプ２６で汲み上げて再度散水管から給水する循環式としてもよい。
【００３１】
また、本発明における支持部材１２は、棚板１１を所定の上下間隔を空けて支持する機能を備えていればどのような構成でも良い。例えば、図６に示す立面緑化パネルユニット３´は、支持部材１２´を棚板１１´と一体にしたものである。具体的に説明すると、予め小さな貫通孔を一面に開設したパンチングボード板材を用いてプレス成型することにより、棚板１１´と支持部材１２´とを一体成型する。すなわち、パンチングボードを、断面が矩形パルス形状となるように屈曲成形して波板材とし、この波板材を起立した状態で用いる。この様にすると、前記矩形パルスの立ち上がり部分に相当する部分と立下り部分に相当する部分が棚板１１´となり、上下に位置する棚板１１´の間の前方と後方の接続部分が支持部材１２ａ，１２ｂとは別の支持部材１２ａ´，１２ｂ´とし機能することができる。そして、棚板１１´の前方にマット１３を配置することは前記した実施形態と同様であり、このマット１３と棚板１１´と後方の支持部材１２ｂ´と上の段の棚板１１とで区画された空間が根収納室１４となり、この根収納室１４の前方に位置するマット１３に横長スリット状の貫通開口２１を開設してある。
【００３２】
この様な構成からなる立面緑化パネルユニット３´は、波板材の幅を前記した実施形態と同様に数メートル余に設定すると、矩形の平面体となるので、ガレージ１等の壁面に使用することができる一方、波板材の幅を数十センチと小さく設定すると、図６（ｂ）に示すように、円柱の壁に複数並べて設置することにより、曲面からなる壁面に沿って装着し易くなる。この様に、幅寸法を適宜設定することにより、壁面に応じた立面緑化パネルユニット３´を提供することができる。
【００３３】
また、図７に示すように、図６に示す波板材の左右両側に断面コ字状の縦材を支持部材１２ｂとして設け、波板材の表裏両面にマット１３ａ，１３ｂをそれぞれ配置し、各マット１３ａ，１３ｂに貫通開口２１を前記実施形態と同様に開設して両側から根収納室１４内に根収容体２５を入れられるように構成し、立面緑化パネルユニット１の表裏両側に植物を植設できるようにしてもよい。この様に構成すると、立面緑化パネルユニット１を支持する支柱を立設し、この支柱の間に立面緑化パネルユニット１自体を設置すると、植栽フェンスあるいは塀として使用することができる。また、複数の立面緑化パネルユニット１を蝶番で接続するとともに、立面緑化パネルユニット１にキャスタを設けて移動可能とすると、折り畳み式の門扉としても使用することができる。なお、図６に示す片面に植栽した立面緑化パネルユニット１も、同様にしてフェンスや塀や門扉などの緑化パネルユニットとして使用することができる。
【００３４】
この様に、本発明に係る立面緑化パネルユニット３，３´は、ガレージ１等の建造物の外壁に限らず、どのような場所にも使用することができる。例えば、室内の内壁に取り付けて使用してもよいし、柱やモニュメントなどにも使用することができる。さらに、植える植物は観賞用植物に限定されるものではなく、食用の植物であってもよい。また、本発明に係る立面緑化パネルユニット３，３´は、専有面積が小さくてもその割に多くの植物を植えることができるので、葉物や根菜などの野菜を苗から植えて大きくなるまで生育させる、即ち、栽培することもできる。要するに、本発明に係る立面緑化パネルユニット３，３´は、植え替え作業が容易であるので、大きくなった野菜を取り出して（収穫して）、その後のスペースに新たに苗を植えてという作業を繰り返すことにより、効率良く安全な野菜を栽培することができる。
【００３５】
なお、本発明は、前記した実施形態に限定されるものではなく、特許請求の範囲に記載された範囲において設計変更することができる。例えば、根収容体２５は、不織布製の袋体に限らず、根を多少の土や保水材等と共に収容できて透水性があればよく、プラスチック製でもよい。
【符号の説明】
【００３６】
１  ガレージ
３，３´  立面緑化パネルユニット
１１  棚板
１１ａ  載置面
１１ｂ  透水孔
１１ｃ  前起立面
１１ｄ  後垂下面
１２Ａ  支持部材の縦材
１２ａ  主柱
１２ｂ  副柱
１２Ｂ  支持部材の上横材
１２Ｃ  支持部材の下横材
１３  マット
１４  根収納室
１５  フレーム
１６  水槽
１７  給水管
１８  散水管
１９  裏板
２１  貫通開口
２５  根収容体
【図１】
2011097883.tif 000003
【図２】
2011097883.tif 000004
【図３】
2011097883.tif 000005
【図４】
2011097883.tif 000006
【図５】
2011097883.tif 000007
【図６】
2011097883.tif 000008
【図７】
2011097883.tif 000009